(57)【要約】【課題】入力側、出力側双方からのノイズ入力に対処でき、反射と透過の減衰を両立した所望のフィルタ特性を設計効率よく得ることが可能なノイズフィルタ部品を提供する。【解決手段】ノイズフィルタ部品１は、外部に付加される抵抗６１，６２と共に用いられて吸収型ノイズフィルタ９１を構成するノイズフィルタ部品であって、第１抵抗６１を外付け可能な第１外部接続端子１３１及び第２抵抗６２を外付け可能な第２外部接続端子１３２と、一端が入力端子１１に接続され他端が出力端子１２に接続されるインダクタ２１と、一端が入力端子１１と接続され他端が第１外部接続端子１３１と接続される第１コンデンサ３１と、一端が出力端子１２と接続され他端が第２外部接続端子１３２と接続される第２コンデンサ３２とを備える。第１コンデンサ３１の他端（第１外部接続端子１３１）と第２コンデンサ３１の他端（第２外部接続端子１３２）とは分離されている。【選択図】  図８
2016144056.tif 000002
【特許請求の範囲】
【請求項１】
外部に付加される抵抗素子と共に用いられて吸収型のノイズフィルタを構成するノイズフィルタ部品であって、
それぞれに抵抗素子を外部に接続可能な第１外部端子及び第２外部端子と、
一端が入力端子に接続され、他端が出力端子に接続される一以上のシリーズ素子と、
一端が前記入力端子と接続され、他端が前記第１外部端子と接続される第１シャント素子と、
一端が前記出力端子と接続され、他端が前記第２外部端子と接続される第２シャント素子と、を備え、
前記第１シャント素子の他端と前記第２シャント素子の他端とは分離されていることを特徴とするノイズフィルタ部品。
【請求項２】
前記シリーズ素子はインダクタであり、
前記第１シャント素子及び第２シャント素子はコンデンサであることを特徴とする請求項１に記載のノイズフィルタ部品。
【請求項３】
前記第１外部端子、及び第２外部端子は、それぞれ１つずつ設けられていることを特徴とする請求項１又は２に記載のノイズフィルタ部品。
【請求項４】
外部に付加される抵抗素子と共に用いられて吸収型のノイズフィルタを構成するノイズフィルタ部品であって、
それぞれに抵抗素子を外部に接続可能な第１外部端子及び第２外部端子と、
一端が一対の入力端子に接続され、他端が一対の出力端子に接続される一以上のシリーズ素子と、
一方の端部が前記一対の入力端子と接続され、他方の端部が前記第１外部端子と接続される第１シャント素子と、
一方の端部が前記一対の出力端子と接続され、他方の端部が前記第２外部端子と接続される第２シャント素子と、を備え、
前記第１シャント素子の他方の端部と前記第２シャント素子の他方の端部とは分離されており、
前記シリーズ素子はコモンモードチョークコイルであり、
前記第１シャント素子及び第２シャント素子は一対の巻線の巻回方向が互いに反対となるように構成されたチョークコイルであることを特徴とするノイズフィルタ部品。
【請求項５】
前記第１外部端子、及び第２外部端子は、それぞれ１つずつ設けられていることを特徴とする請求項４に記載のノイズフィルタ部品。
【請求項６】
請求項１〜５のいずれか１項に記載のノイズフィルタ部品と、
前記第１外部端子と部品外のグランドとの間に接続される第１抵抗素子と、
前記第２外部端子と部品外のグランドとの間に接続される第２抵抗素子と、を備えることを特徴とする吸収型ノイズフィルタ。
【発明の詳細な説明】
【技術分野】
【０００１】
本発明は、ノイズフィルタ部品、及び、該ノイズフィルタ部品を用いた吸収型ノイズフィルタに関する。
【背景技術】
【０００２】
従来から、信号を伝送する伝送線路のノイズを除去するため、種々のノイズフィルタが考案されて用いられている。ここで、特許文献１には、通過させない周波数が高いノイズ成分のエネルギーを吸収して、新たなノイズ発生源となる反射波や定在波等を発生させないようにする吸収型のノイズフィルタが開示されている。
【０００３】
より具体的には、特許文献１には、吸収型ノイズフィルタの第１の構成として、１個のコイルと２個のコンデンサをπ字状に接続して、π型のノイズフィルタ（ローパスフィルタ）を構成し、その２個のコンデンサのうちの入力側のコンデンサに直列に、ノイズ吸収用の抵抗を接続した構成が開示されている。なお、この第１の構成では、ノイズ吸収用の抵抗を外付けできるように構成されている。すなわち、このノイズフィルタでは、π型ノイズフィルタを構成する入力側のコンデンサに直列に、ノイズ吸収用の抵抗を外付けするための接続端子がケースの外部に設けられており、その接続端子に、ノイズ発生状況に応じて最適な抵抗値の抵抗を接続できるように構成されている。
【０００４】
また、特許文献１には、吸収型ノイズフィルタの第２の構成として、π型ノイズフィルタを構成する２個のコンデンサのコモンライン側を共通接続し、その接続点と、入力端子と出力端子を結ぶコモンラインとの間に、ノイズ吸収用の抵抗を介挿した構成が開示されている。
【先行技術文献】
【特許文献】
【０００５】
【特許文献１】特開平９−２１４２７６号公報
【発明の概要】
【発明が解決しようとする課題】
【０００６】
ところで、例えば、双方向の通信を行う回路ではノイズも双方向から発生すると考えられる。また、例えば、レシーバで反射したノイズが出力側に入力される場合も考えられる。ここで、上述したように、第１の構成の吸収型ノイズフィルタでは、入力側のコンデンサに直列に抵抗が接続されている。そのため、この第１の構成では、出力側での反射成分が大きい場合に、例えば、アンテナやノイズ結合箇所等との関係によってはノイズを適切に除去（吸収）できないおそれがある。
【０００７】
一方、第２の構成の吸収型ノイズフィルタでは、両コンデンサのコモンライン側が接続され、その接続点とコモンラインとの間に抵抗が介挿入されているため、入力側及び出力側双方に抵抗が付加されるが、入力側と出力側とが低インピーダンスで接続されることとなり、透過減衰特性が悪化し、反射と透過の減衰を両立させることができない。
【０００８】
本発明は、上記問題点を解消する為になされたものであり、入力側、出力側双方からのノイズ入力に対処でき、反射と透過の減衰を両立した所望のフィルタ特性を設計効率よく得ることが可能なノイズフィルタ部品、及び、吸収型ノイズフィルタを提供することを目的とする。
【課題を解決するための手段】
【０００９】
本発明に係るノイズフィルタ部品は、外部に付加される抵抗素子と共に用いられて吸収型のノイズフィルタを構成するノイズフィルタ部品であって、それぞれに抵抗素子を外部に接続可能な第１外部端子及び第２外部端子と、一端が入力端子に接続され、他端が出力端子に接続される一以上のシリーズ素子と、一端が入力端子と接続され、他端が第１外部端子と接続される第１シャント素子と、一端が出力端子と接続され、他端が第２外部端子と接続される第２シャント素子とを備え、第１シャント素子の他端と第２シャント素子の他端とが分離されていることを特徴とする。
【００１０】
本発明に係るノイズフィルタ部品によれば、入力側の第１シャント素子及び出力側の第２シャント素子双方に抵抗素子を付加することができるため、入力側、出力側双方からのノイズ入力に対応できる。また、その際に、付加される各抵抗素子は外付けできるように構成されているため、フィルタの設計に際して、カット・アンド・トライを容易に行うことができ、フィルタの設計効率を向上させることができる。さらに、第１シャント素子の他端（第１外部端子）と第２シャント素子の他端（第２外部端子）とが分離されているため、透過減衰特性が悪化することなく、シリーズ素子、第１，第２シャント素子、及び外付けされる抵抗素子の値（定数）を適切に選択（設計）することにより、反射と透過の減衰を両立した特性を得ることができる。その結果、入力側、出力側双方からのノイズ入力に対処でき、反射と透過の減衰を両立した所望のフィルタ特性を設計効率よく得ることが可能となる。
【００１１】
本発明に係るノイズフィルタ部品では、上記シリーズ素子がインダクタであり、上記第１シャント素子及び第２シャント素子がコンデンサであることが好ましい。
【００１２】
このようにすれば、インダクタと、その両側にシャント接続されたコンデンサとを含むπ型（又は広義のπ型）のノイズフィルタを構成することができる。よって、シングルエンド伝送線路のノイズ対策に適した吸収型のノイズフィルタを得ることができる。
【００１３】
本発明に係るノイズフィルタ部品では、上記第１外部端子、及び第２外部端子が、それぞれ１つずつ設けられていることが好ましい。
【００１４】
このようにすれば、外部端子の数が最小限に抑えられるため、部品の実装面積を削減することができる。なお、第１外部端子、第２外部端子には実装時に抵抗素子が外付けされるため、グランドを低インピーダンス設計にする必要がなく、外部端子の数を削減したとしても、フィルタの特性が大きく悪化することはない。
【００１５】
本発明に係るノイズフィルタ部品は、外部に付加される抵抗素子と共に用いられて吸収型のノイズフィルタを構成するノイズフィルタ部品であって、それぞれに抵抗素子を外部に接続可能な第１外部端子及び第２外部端子と、一端が一対の入力端子に接続され、他端が一対の出力端子に接続される一以上のシリーズ素子と、一方の端部が一対の入力端子と接続され、他方の端部が第１外部端子と接続される第１シャント素子と、一方の端部が前記一対の出力端子と接続され、他方の端部が前記第２外部端子と接続される第２シャント素子とを備え、第１シャント素子の他方の端部と第２シャント素子の他方の端部とが分離されており、上記シリーズ素子がコモンモードチョークコイルであり、上記第１シャント素子及び第２シャント素子が一対の巻線の巻回方向が互いに反対となるように構成されたチョークコイルであることを特徴とする。
【００１６】
本発明に係るノイズフィルタ部品によれば、入力側の第１シャント素子（チョークコイル）及び出力側の第２シャント素子（チョークコイル）双方に抵抗素子を付加することができるため、入力側、出力側双方からのノイズ入力に対応できる。また、その際に、付加される各抵抗素子は外付けできるように構成されているため、フィルタの設計に際して、カット・アンド・トライを容易に行うことができ、フィルタの設計効率を向上させることができる。さらに、第１シャント素子（チョークコイル）の他方の端部（第１外部端子）と第２シャント素子（チョークコイル）の他方の端部（第２外部端子）とが分離されているため、透過減衰特性が悪化することなく、シリーズ素子（コモンモードチョークコイル）、第１，第２シャント素子（チョークコイル）、及び外付けされる抵抗素子の値（定数）を適切に選択（設計）することにより、反射と透過の減衰を両立した特性を得ることができる。その結果、入力側、出力側双方からのノイズ入力に対処でき、反射と透過の減衰を両立した所望のフィルタ特性を設計効率よく得ることが可能となる。また、特に、この場合、コモンモードチョークコイルと、その両側にシャント接続されたチョークコイルとを含むπ型（又は広義のπ型）のノイズフィルタを構成することができる。よって、差動伝送線路のノイズ対策に適したノイズフィルタを得ることができる。
【００１７】
本発明に係るノイズフィルタ部品では、上記第１外部端子、及び第２外部端子が、それぞれ１つずつ設けられていることが好ましい。
【００１８】
このようにすれば、外部端子の数が最小限に抑えられるため、部品の実装面積を削減することができる。なお、第１外部端子、第２外部端子には実装時に抵抗素子が外付けされるため、グランドを低インピーダンス設計にする必要がなく、外部端子の数を削減したとしても、特性が大きく悪化することはない。
【００１９】
本発明に係る吸収型ノイズフィルタは、上記いずれかのノイズフィルタ部品と、第１外部端子と部品外のグランドとの間に接続される第１抵抗素子と、第２外部端子と部品外のグランドとの間に接続される第２抵抗素子とを備えることを特徴とする。
【００２０】
本発明に係る吸収型ノイズフィルタによれば、ノイズフィルタ部品と、第１抵抗素子と、第２抵抗素子とで、π型（又は広義のπ型）の吸収型ノイズフィルタを構成することができる。なお、第１抵抗素子又は第２抵抗素子は、抵抗値が０Ωのものを含むものとする。
【発明の効果】
【００２１】
本発明によれば、入力側、出力側双方からのノイズ入力に対処でき、反射と透過の減衰を両立した所望のフィルタ特性を設計効率よく得ることが可能となる。
【図面の簡単な説明】
【００２２】
【図１】第１実施形態に係るノイズフィルタ部品、及び、該ノイズフィルタ部品を用いた吸収型ノイズフィルタの構成を示す図である。
【図２】実施例１−１に係るノイズフィルタのフィルタ特性を示すグラフである。
【図３】実施例１−２に係るノイズフィルタのフィルタ特性を示すグラフである。
【図４】実施例１−３に係るノイズフィルタのフィルタ特性を示すグラフである。
【図５】比較例１−１に係るノイズフィルタのフィルタ特性を示すグラフである。
【図６】比較例１−２に係るノイズフィルタのフィルタ特性を示すグラフである。
【図７】第１実施形態の変形例に係るノイズフィルタ部品、及び、該ノイズフィルタ部品を用いた吸収型ノイズフィルタの構成を示す図である。
【図８】第２実施形態に係るノイズフィルタ部品、及び、該ノイズフィルタ部品を用いた吸収型ノイズフィルタの構成を示す図である。
【図９】第２実施形態に係るノイズフィルタ部品を用いた吸収型ノイズフィルタの実装状態を示す図である。
【図１０】第３実施形態に係るノイズフィルタ部品、及び、該ノイズフィルタ部品を用いた吸収型ノイズフィルタの構成を示す図である。
【図１１】実施例３−１に係るノイズフィルタのフィルタ特性を示すグラフである。
【図１２】実施例３−２に係るノイズフィルタのフィルタ特性を示すグラフである。
【図１３】実施例３−３に係るノイズフィルタのフィルタ特性を示すグラフである。
【図１４】比較例３−１に係るノイズフィルタのフィルタ特性を示すグラフである。
【図１５】比較例３−２に係るノイズフィルタのフィルタ特性を示すグラフである。
【図１６】第３実施形態の変形例に係るノイズフィルタ部品、及び、該ノイズフィルタ部品を用いた吸収型ノイズフィルタの構成を示す図である。
【図１７】第４実施形態に係るノイズフィルタ部品、及び、該ノイズフィルタ部品を用いた吸収型ノイズフィルタの構成を示す図である。
【発明を実施するための形態】
【００２３】
以下、図面を参照して本発明の好適な実施形態について詳細に説明する。なお、図中、同一又は相当部分には同一符号を用いることとする。また、各図において、同一要素には同一符号を付して重複する説明を省略する。
【００２４】
（第１実施形態）
まず、図１を用いて、第１実施形態に係るノイズフィルタ部品１、及び、該ノイズフィルタ部品１を用いた吸収型ノイズフィルタ９１の構成について説明する。図１は、ノイズフィルタ部品１、及び、該ノイズフィルタ部品１を用いた吸収型ノイズフィルタ９１の構成を示す図である。
【００２５】
ノイズフィルタ部品１は、外付け（外部に付加）される抵抗６１，６２（特許請求の範囲に記載の抵抗素子に相当）と共に用いられてπ型の吸収型ノイズフィルタ９１を構成するノイズフィルタ部品である。ノイズフィルタ部品１は、例えば、導体パターンが形成された複数の絶縁層が積層されて形成された直方体状のチップ部品であり、その外側面等には、導体からなる、入力端子１１、出力端子１２、第１外部接続端子１３１、及び第２外部接続端子１３２が形成されている。
【００２６】
また、ノイズフィルタ部品１の内部には、１つのインダクタ２１（シリーズ素子）と、２つのコンデンサ３１，３２（シャント素子）が形成されている。インダクタ２１の一端は入力端子１１に接続され、インダクタ２１の他端は出力端子１２に接続されている。
【００２７】
インダクタ２１の一方の端部（入力端子１１側）には、第１コンデンサ３１の一端が接続されている。この第１コンデンサ３１の他端は、一対の外部端子１３１ａ，１３１ｂからなる第１外部接続端子１３１に接続されている。なお、第１外部接続端子１３１を構成する外部端子１３１ａと外部端子１３１ｂとは内部で接続（短絡）されている。第１外部接続端子１３１は特許請求の範囲に記載の第１外部端子に相当する。第１外部接続端子１３１には、第１抵抗（外部抵抗）６１を外付け（外部に接続）することができる。
【００２８】
インダクタ２１の他方の端部（出力端子１２側）には、第２コンデンサ３２の一端が接続されている。この第２コンデンサ３２の他端は、一対の外部端子１３２ａ，１３２ｂからなる第２外部接続端子１３２に接続されている。なお、第２外部接続端子１３２を構成する外部端子１３２ａと外部端子１３２ｂとは内部で接続（短絡）されている。第２外部接続端子１３２は特許請求の範囲に記載の第２外部端子に相当する。第２外部接続端子１３２には、第２抵抗（外部抵抗）６２を外付け（外部に接続）することができる。一方、第１外部接続端子１３１と、第２外部接続端子１３２とは接続されることなく、分離されている。すなわち、第１コンデンサ３１の他端と第２コンデンサ３２の他端とは分離されている。
【００２９】
上述したように構成されたノイズフィルタ部品１は、例えば、シングルエンドの伝送線路のノイズを除去するために使用される際に、シングルエンド伝送線路にシリーズに接続（直列に接続）される。すなわち、入力端子１１及び出力端子１２にシングルエンド伝送線路が接続される。また、要求されるフィルタ特性に応じて、第１外部接続端子１３１（第１コンデンサ３１の他端）とグランドとの間に、第１抵抗６１が接続される。同様に、第２外部接続端子１３２（第２コンデンサ３２の他端）とグランドとの間に第２抵抗６２が接続される。これにより、π型の吸収型ノイズフィルタ９１が構成される。なお、外部に接続される第１抵抗６１又は第２抵抗６２として、抵抗値が０Ωのもの（ジャンパ）を用いてもよい。
【００３０】
ここで、入力側をＰｏｒｔ１とし、出力側をＰｏｒｔ２として、Ｐｏｒｔ１側、Ｐｏｒｔ２側それぞれに付加する抵抗（第１抵抗６１、第２抵抗６２）の抵抗値を次のように変えて（実施例１−１，１−２，１−３）、反射特性（Ｓ１１，Ｓ２２）、透過特性（Ｓ２１，Ｓ１２）、及び電力吸収率Ｐｏｒｔ１，Ｐｏｒｔ２の回路計算（シミュレーション）を行った。なお、回路計算において、インダクタ２１のインダクタンスは３０（ｎＨ）に、第１，第２コンデンサ３１，３２の静電容量は１５（ｐＦ）に、入出力のインピーダンスは５０（Ω）にそれぞれ設定した。また、電力吸収率の計算には次式（１）（２）を用いた。
電力吸収率Ｐｏｒｔ１＝１−（Ｓ１１＾２＋Ｓ２１＾２）  ・・・（１）
電力吸収率Ｐｏｒｔ２＝１−（Ｓ２２＾２＋Ｓ１２＾２）  ・・・（２）
【００３１】
一方、比較例として、Ｐｏｒｔ１側、Ｐｏｒｔ２側共に抵抗を付加しない場合（比較例１−１）、及び、第１外部接続端子１３１と第２外部接続端子１３２（第１コンデンサ３１の他端と第２コンデンサ３２の他端）とを接続（短絡）し、その接続点に抵抗を接続した場合（比較例１−２）についても同様の回路計算（シミュレーション）を行った。
【００３２】
（１）実施例１−１（条件１）：Ｐｏｒｔ１側に５０Ωの抵抗を付加。Ｐｏｒｔ２側に０Ωの抵抗を付加（抵抗なし）。
（２）実施例１−２（条件２）：Ｐｏｒｔ１側に１０Ωの抵抗を付加。Ｐｏｒｔ２側に０Ωの抵抗を付加（抵抗なし）。
（３）実施例１−３（条件３）：Ｐｏｒｔ１側に５０Ωの抵抗を付加。Ｐｏｒｔ２側に５０Ωの抵抗を付加。
（４）比較例１−１（条件４）：Ｐｏｒｔ１側に０Ωの抵抗を付加（抵抗なし）。Ｐｏｒｔ２側に０Ωの抵抗を付加（抵抗なし）。
（５）比較例１−２（条件５）：Ｐｏｒｔ１側とＰｏｒｔ２側とを接続（短絡）し、その接続点に５０Ωの抵抗を付加（Ｐｏｒｔ１とＰｏｒｔ２で５０Ωの抵抗を共有）。
【００３３】
回路計算（シミュレーション）の結果を図２〜図６に示す。図２は、実施例１−１（条件１）に係るノイズフィルタのフィルタ特性を示すグラフである。図３は、実施例１−２（条件２）に係るノイズフィルタのフィルタ特性を示すグラフである。図４は、実施例１−３（条件３）に係るノイズフィルタのフィルタ特性を示すグラフである。また、図５は、比較例１−１（条件４）に係るノイズフィルタのフィルタ特性を示すグラフである。図６は、比較例１−２（条件５）に係るノイズフィルタのフィルタ特性を示すグラフである。
【００３４】
図２では、左上段のグラフにＳ２１，Ｓ１１の結果を示す。このグラフの横軸は周波数（Ｈｚ）であり、縦軸はＳ２１，Ｓ１１（ｄＢ）である。同様に、右上段のグラフにＳ１２，Ｓ２２の結果を示す。このグラフの横軸は周波数（Ｈｚ）であり、縦軸はＳ１２，Ｓ２２（ｄＢ）である。また、左下段のグラフに電力吸収率Ｐｏｒｔ１の結果を示す。このグラフの横軸は周波数（Ｈｚ）であり、縦軸は電力吸収率Ｐｏｒｔ１である。同様に、右下段のグラフに電力吸収率Ｐｏｒｔ２の結果を示す。このグラフの横軸は周波数（Ｈｚ）であり、縦軸は電力吸収率Ｐｏｒｔ２である。なお、左端に回路計算（シミュレーション）に用いたモデルを示す。以下、図３〜６も同様である。
【００３５】
（１）実施例１−１（条件１：Ｐｏｒｔ１側に５０Ωの抵抗を付加し、Ｐｏｒｔ２側に０Ωの抵抗を付加（抵抗なし）した場合）の結果。
・透過特性（Ｓ２１，Ｓ１２）・・・図２に示されるように、後述する比較例１−１（条件４）と比較してカーブの傾きが緩やかになる。
・反射特性（Ｓ１１，Ｓ２２）・・・Ｐｏｒｔ１側に抵抗成分（５０Ω）が付加されていることから、Ｓ１１は高周波領域での減衰が大きい。この場合、付加された抵抗成分（５０Ω）が入出力のインピーダンス（５０Ω）と等しく、理想的なマッチングとなるため、反射抑制の観点からはこの定数が最適値となる。
・電力吸収率（Ｐｏｒｔ１，Ｐｏｒｔ２）・・・Ｐｏｒｔ１側に抵抗成分（５０Ω）が付加されていることから、Ｐｏｒｔ１側は高周波領域で電力吸収率が１に近づいている。一方、Ｐｏｒｔ２側は電力吸収率が低くなる。
【００３６】
（２）実施例１−２（条件２：Ｐｏｒｔ１側に１０Ωの抵抗を付加し、Ｐｏｒｔ２側に０Ωの抵抗を付加（抵抗なし）した場合）の結果。
・透過特性（Ｓ２１，Ｓ１２）・・・図３に示されるように、上記実施例１−１（条件１）と後述する比較例１−１（条件４）との中間に位置するような傾きとなる。すなわち付加される抵抗値が下げられることで透過特性に与える影響が軽減されている。
・反射特性（Ｓ１１，Ｓ２２）・・・抵抗値が最適な抵抗値（５０Ω）と異なるため、反射抑制効果が悪化している。なお、このようにして、透過特性と反射特性のバランスをチューニングすることができる。
・電力吸収率（Ｐｏｒｔ１，Ｐｏｒｔ２）・・・反射抑制効果の悪化により高周波領域では０．５程度となる。
【００３７】
（３）実施例１−３（条件３：Ｐｏｒｔ１側に５０Ωの抵抗を付加し、Ｐｏｒｔ２側に５０Ωの抵抗を付加した場合）の結果。
・透過特性（Ｓ２１，Ｓ１２）・・・図４に示されるように、実施例１−１（条件１）及び実施例１−２（条件２）と比較して緩やかなカーブとなる。
・反射特性（Ｓ１１，Ｓ２２）・・・Ｐｏｒｔ１，２双方に最適な抵抗値が挿入されていることから、Ｓ１１，Ｓ２２共に高周波領域で減衰が大きい。双方からノイズが入力される状況で有効な構成となっている。
・電力吸収率（Ｐｏｒｔ１，Ｐｏｒｔ２）・・・Ｐｏｒｔ１，２双方に最適な抵抗値が挿入されていることから、Ｐｏｒｔ１，２共に高周波領域で吸収率が1に近づいている。
【００３８】
（４）比較例１−１（条件４：Ｐｏｒｔ１側に０Ωの抵抗を付加（抵抗なし）し、Ｐｏｒｔ２側に０Ωの抵抗を付加（抵抗なし）した場合）の結果。
・透過特性（Ｓ２１，Ｓ１２）・・・図５に示されるように、急峻なカーブを描き、透過（低周波領域）と遮断（高周波領域）の帯域を設ける上では好ましい特性となっている。
・反射特性（Ｓ１１，Ｓ２２）・・・高周波でゼロとなり、反射成分については減衰がない。すなわち、全反射している。
・電力吸収率（Ｐｏｒｔ１，Ｐｏｒｔ２）・・・抵抗成分が付加されていないため、電力吸収率はＰｏｒｔ１，２共にゼロとなっている。
【００３９】
（５）比較例１−２（条件５：Ｐｏｒｔ１側とＰｏｒｔ２側とを接続（短絡）し、その接続点に５０Ωの抵抗を付加（Ｐｏｒｔ１とＰｏｒｔ２で５０Ωの抵抗を共有）した場合）の結果。
・透過特性（Ｓ２１，Ｓ１２）・・・図６に示されるように、Ｐｏｒｔ１とＰｏｒｔ２とが低インピーダンスで接続されることになり全周波数に渡って減衰が少ない。
・反射特性（Ｓ１１，Ｓ２２）・・・Ｐｏｒｔ１，２双方に抵抗値が挿入された構成であり、一定の抑制効果が見られるものの、実施例１−３（条件３）と比較するとその効果は限定的である。
・電力吸収率（Ｐｏｒｔ１，Ｐｏｒｔ２）・・・Ｐｏｒｔ１，２双方に抵抗が付加されているため、一定の吸収率が得られる。
【００４０】
このように、外部抵抗（第１抵抗６１及び第２抵抗６２）の抵抗値を変えることにより、ノイズフィルタ部品１を用いた吸収型ノイズフィルタ９１のフィルタ特性を任意に設定することができる。また、その際に、外部抵抗（第１抵抗６１及び第２抵抗６２）が外付け可能に構成されているため、特性設計のカット・アンド・トライを容易に行うことができる。
【００４１】
（第１実施形態の変形例）
上述した第１実施形態に係るノイズフィルタ部品１は、１つのインダクタ２１と、２つの第１，第２コンデンサ３１，３２とを備え、π型の吸収型ノイズフィルタを構成したが、インダクタ及びコンデンサの数はこれには限られない。例えば、図７に示した変形例に係るノイズフィルタ部品１Ｂのように、２個のインダクタ（第１インダクタ２１、第２インダクタ２２）と、３個のコンデンサ（第１コンデンサ３１、第２コンデンサ３２、第３コンデンサ３３）とを備え、広義のπ型の吸収型ノイズフィルタを構成するようにしてもよい。さらに、３個以上（ｎ個）のインダクタと、４個以上（ｎ＋１個）のコンデンサとから構成されるようにしてもよい。
【００４２】
以上、説明したように、本実施形態によれば、入力側の第１コンデンサ３１及び出力側の第２コンデンサ３２双方に抵抗６１，６２を付加することができるため、入力側、出力側双方からのノイズ入力に対応できる。また、その際に、付加される各抵抗６１，６２が外付けできるように構成されているため、フィルタの設計に際して、カット・アンド・トライを容易に行うことができ、フィルタの設計効率を向上させることができる。さらに、第１コンデンサ３１の他端（第１外部接続端子１３１）と第２コンデンサ３２の他端（第２外部接続端子１３２）とが分離されているため、透過減衰特性が悪化することなく、インダクタ２１、第１，第２コンデンサ３１，３２、及び外付けされる第１，第２抵抗６１，６２の値（定数）を適切に選択（設計）することにより、反射と透過の減衰を両立した特性を得ることができる。その結果、入力側、出力側双方からのノイズ入力に対処でき、反射と透過の減衰を両立した所望のフィルタ特性を設計効率よく得ることが可能となる。
【００４３】
なお、本実施形態によれば、インダクタ２１（又は第１，第２インダクタ２１，２２）と、その両側にシャント接続された第１，第２コンデンサ３１，３２（又は第１，第２，第３コンデンサ３１，３２，３３）とを含むπ型（又は広義のπ型）のノイズフィルタ９１（又はノイズフィルタ９１Ｂ）を構成することができる。よって、シングルエンド伝送線路のノイズ対策に適したπ型の吸収型ノイズフィルタ９１（又は吸収型ノイズフィルタ９１Ｂ）を得ることができる。
【００４４】
（第２実施形態）
上述した第１実施形態に係るノイズフィルタ部品１では、第１外部接続端子１３１が、内部で接続（短絡）された一対の外部端子１３１ａと外部端子１３１ｂとから構成されるとともに、第２外部接続端子１３２が、内部で接続（短絡）された一対の外部端子１３２ａと外部端子１３２ｂとから構成されていた（すなわち、１つのコンデンサについて２つの外部端子を有していた）が、第１外部接続端子１３１、第２外部接続端子１３２それぞれが、単一の外部端子からなる構成（すなわち、１つのコンデンサについて１つの外部端子を有する構成）としてもよい。
【００４５】
そこで、次に、図８、図９を併せて用いて、第２実施形態に係るノイズフィルタ部品２、及び、該ノイズフィルタ部品２を用いた吸収型ノイズフィルタ９２について説明する。ここでは、上述した第１実施形態と同一・同様な構成については説明を簡略化又は省略し、異なる点を主に説明する。ここで、図８は、第２実施形態に係るノイズフィルタ部品２、及び、該ノイズフィルタ部品を用いた吸収型ノイズフィルタ９２の構成を示す図である。また、図９は、ノイズフィルタ部品２を用いた吸収型ノイズフィルタ９２の実装状態を示す図である。なお、図８，９において第１実施形態と同一又は同等の構成要素については同一の符号が付されている。
【００４６】
ノイズフィルタ部品２は、図８に示されるように、単一の外部端子からなる第１外部接続電極１３１、及び第２外部接続端子１３２を備えている点で上述したノイズフィルタ部品１と異なっている。その他の構成は、上述したノイズフィルタ部品１と同一又は同様であるので、ここでは詳細な説明を省略する。
【００４７】
ノイズフィルタ部品２は、図９に示されるように配線基板２００に実装されることにより、入力端子１１、出力端子１２がシングルエンド伝送線路２０１に接続される。また、第１外部接続電極１３１と配線基板のグランド２０２との間に第１抵抗６１が接続されるとともに、第２外部接続端子１３２と配線基板のグランド２０２との間に第２抵抗６２が接続される。これにより、π型の吸収型ノイズフィルタ９２が構成される。なお、外部に接続される第１抵抗６１又は第２抵抗６２として、抵抗値が０Ωのもの（ジャンパ）を用いてもよい。
【００４８】
本実施形態によれば、第１外部接続端子１３１、及び第２外部接続端子１３２が、それぞれ単一の外部端子からなっており、外部端子（外部接続端子）の数が最小限に抑えられるため、部品の実装面積を削減することができる。なお、第１外部接続端子１３１、第２外部接続端子１３２には基板実装時に第１，第２抵抗６１，６２が外付けされるため、グランドを低インピーダンス設計にする必要がなく、外部端子の数を削減したとしても、フィルタの特性が大きく悪化することはない。
【００４９】
（第３実施形態）
次に、図１０を用いて、第３実施形態に係るノイズフィルタ部品３、及び、該ノイズフィルタ部品３を用いた吸収型ノイズフィルタ９３について説明する。ここでは、上述した第１実施形態と同一・同様な構成については説明を簡略化又は省略し、異なる点を主に説明する。ここで、図１０は、第３実施形態に係るノイズフィルタ部品３、及び、該ノイズフィルタ部品３を用いた吸収型ノイズフィルタ９３の構成を示す図である。なお、図１０において第１実施形態と同一又は同等の構成要素については同一の符号が付されている。
【００５０】
ノイズフィルタ部品３は、外付け（外部に接続）される抵抗６１，６２と共に用いられてπ型の吸収型ノイズフィルタ９３を構成するノイズフィルタ部品である。ノイズフィルタ部品３は、例えば、導体パターンが形成された複数の絶縁層が積層されて形成された直方体状のチップ部品であり、その外側面等には、導体からなる、入力端子１１（１１ａ，１１ｂ）、出力端子１２（１２ａ，１２ｂ）、第１外部接続端子１３１（１３１ａ，１３１ｂ）、及び第２外部接続端子１３２（１３２ａ，１３２ｂ）が形成されている。
【００５１】
また、ノイズフィルタ部品３の内部には、１つのコモンモードチョークコイル４１（シリーズ素子）と、一対の巻線５１ａ，５１ｂが互いに反対方向に巻回された第１チョークコイル（ディファレンシャルモードチョークコイル）５１（シャント素子）と、一対の巻線５２ａ，５２ｂが互いに反対方向に巻回された第２チョークコイル（ディファレンシャルモードチョークコイル）５２（シャント素子）が形成されている。
【００５２】
入力端子１１（１１ａ，１１ｂ）にはコモンモードチョークコイル４１の一端が接続され、出力端子１２（１２ａ，１２ｂ）にはコモンモードチョークコイル４１の他端が接続されている。より詳細には、一対の入力端子１１を構成する一方の入力端子１１ａにはコモンモードチョークコイル４１の一方の巻線（コイル）４１ａの一端が接続され、入力端子１１を構成する他方の入力端子１１ｂにはコモンモードチョークコイル４１の他方の巻線（コイル）４１ｂの一端が接続されている。また、一対の出力端子１２を構成する一方の出力端子１２ａにはコモンモードチョークコイル４１の一方の巻線（コイル）４１ａの他端が接続され、出力端子１２を構成する他方の出力端子１２ｂにはコモンモードチョークコイル４１の他方の巻線（コイル）４１ｂの他端が接続されている。
【００５３】
コモンモードチョークコイル４１の一方の巻線４１ａの一端（入力端子１１ａ側）には、第１チョークコイル５１の一方の巻線５１ａの一端が接続されている。この第１チョークコイル５１の一方の巻線５１ａの他端は、一対の外部端子１３１ａ，１３１ｂからなる第１外部接続端子１３１に接続されている。同様に、コモンモードチョークコイル４１の他方の巻線４１ｂの一端（入力端子１１ｂ側）には、第１チョークコイル５１の他方の巻線５１ｂの一端が接続されている。この第１チョークコイル５１の他方の巻線５１ｂの他端も、一対の外部端子１３１ａ，１３１ｂからなる第１外部接続端子１３１に接続されている。なお、第１外部接続端子１３１を構成する外部端子１３１ａと外部端子１３１ｂとは内部で接続（短絡）されている。第１外部接続端子１３１は特許請求の範囲に記載の第１外部端子に相当する。第１外部接続端子１３１には、第１抵抗６１を外付け（外部に接続）することができる。
【００５４】
コモンモードチョークコイル４１の一方の巻線４１ａの他端（出力端子１２ａ側）には、第２チョークコイル５２の一方の巻線５２ａの一端が接続されている。この第２チョークコイル５２の一方の巻線５２ａの他端は、一対の外部端子１３２ａ，１３２ｂからなる第２外部接続端子１３２に接続されている。同様に、コモンモードチョークコイル４１の他方の巻線４１ｂの他端（出力端子１２ｂ側）には、第２チョークコイル５２の他方の巻線５２ｂの一端が接続されている。この第２チョークコイル５２の他方の巻線５２ｂの他端も、一対の外部端子１３２ａ，１３２ｂからなる第２外部接続端子１３２に接続されている。なお、第２外部接続端子１３１を構成する外部端子１３２ａと外部端子１３２ｂとは内部で接続（短絡）されている。第２外部接続端子１３２は特許請求の範囲に記載の第２外部端子に相当する。第２外部接続端子１３２には、第２抵抗６２を外付け（外部に接続）することができる。一方、第１外部接続端子１３１と、第２外部接続端子１３２とは接続されることなく、分離されている。すなわち、第１チョークコイル５１の他端と第２チョークコイル５２の他端とは分離されている。
【００５５】
上述したように構成されたノイズフィルタ部品３は、例えば、差動伝送線路のノイズを除去するために使用される際に、差動伝送線路にシリーズに接続（直列に接続）される。すなわち、入力端子１１（１１ａ，１１ｂ）及び出力端子１２（１２ａ，１２ｂ）に差動伝送線路が接続される。また、要求されるフィルタ特性に応じて、第１外部接続端子１３１（第１チョークコイル５１の他端）に、第１抵抗６１が接続（外付け）される。同様に、第２外部接続端子１３２（第２チョークコイル５２の他端）に第２抵抗６２が接続（外付け）される。これにより、差動伝送線路に用いられるπ型の吸収型ノイズフィルタ９３が構成される。なお、ノイズフィルタ部品３の第１，第２外部接続端子１３１，１３２に接続される第１，第２抵抗６１，６２としては、抵抗値が０Ωのもの（ジャンパ）を用いてもよい。また、例えば、差動伝送線路がＤＣ成分を持つ（バイアスされている）方式の場合には、第１抵抗６１、第２抵抗６２それぞれにコンデンサを直列に接続する構成としてもよい。
【００５６】
ここで、上述した第１実施形態に係るノイズフィルタ部品１の場合と同様に、入力側をＰｏｒｔ１とし、出力側をＰｏｒｔ２として、Ｐｏｒｔ１側、Ｐｏｒｔ２側それぞれに付加する抵抗（第１抵抗６１、第２抵抗６２）の抵抗値を次のように変えて（実施例３−１，３−２，３−３）、コモンモードの反射特性（Ｓｃｃ１１，Ｓｃｃ２２）、コモンモードの透過特性（Ｓｃｃ２１，Ｓｃｃ１２）、及び電力吸収率Ｐｏｒｔ１，Ｐｏｒｔ２の回路計算（シミュレーション）を行った。なお、回路計算において、入出力のインピーダンスは５０（Ω）に設定した。また、電力吸収率の計算には次式（３）（４）を用いた。
電力吸収率Ｐｏｒｔ１＝１−（Ｓｃｃ１１＾２＋Ｓｃｃ２１＾２）  ・・・（３）
電力吸収率Ｐｏｒｔ２＝１−（Ｓｃｃ２２＾２＋Ｓｃｃ１２＾２）  ・・・（４）
【００５７】
一方、比較例として、Ｐｏｒｔ１側、Ｐｏｒｔ２側共に抵抗を付加しない場合（比較例３−１）、及び、第１外部接続端子１３１と第２外部接続端子１３２（第１チョークコイル５１の他端と第２チョークコイル５２の他端）とを接続（短絡）し、その接続点に抵抗を接続した場合（比較例３−２）についても同様の回路計算（シミュレーション）を行った。
【００５８】
（１）実施例３−１（条件１）：Ｐｏｒｔ１側に２５Ωの抵抗を付加。Ｐｏｒｔ２側に０Ωの抵抗を付加（抵抗なし）。
（２）実施例３−２（条件２）：Ｐｏｒｔ１側に５Ωの抵抗を付加。Ｐｏｒｔ２側に０Ωの抵抗を付加（抵抗なし）。
（３）実施例３−３（条件３）：Ｐｏｒｔ１側に２５Ωの抵抗を付加。Ｐｏｒｔ２側に２５Ωの抵抗を付加。
（４）比較例３−１（条件４）：Ｐｏｒｔ１側に０Ωの抵抗を付加（抵抗なし）。Ｐｏｒｔ２側に０Ωの抵抗を付加（抵抗なし）。
（５）比較例３−２（条件５）：Ｐｏｒｔ１側とＰｏｒｔ２側とを接続（短絡）し、その接続点に２５Ωの抵抗を付加（Ｐｏｒｔ１とＰｏｒｔ２で２５Ωの抵抗を共有）。
【００５９】
回路計算（シミュレーション）の結果を図１１〜図１５に示す。図１１は、実施例３−１（条件１）に係るノイズフィルタのフィルタ特性を示すグラフである。図１２は、実施例３−２（条件２）に係るノイズフィルタのフィルタ特性を示すグラフである。図１３は、実施例３−３（条件３）に係るノイズフィルタのフィルタ特性を示すグラフである。また、図１４は、比較例３−１（条件４）に係るノイズフィルタのフィルタ特性を示すグラフである。図１５は、比較例３−２（条件５）に係るノイズフィルタのフィルタ特性を示すグラフである。
【００６０】
図１１では、左上段のグラフにＳｃｃ２１，Ｓｃｃ１１の結果を示す。このグラフの横軸は周波数（Ｈｚ）であり、縦軸はＳｃｃ２１，Ｓｃｃ１１（ｄＢ）である。同様に、右上段のグラフにＳｃｃ１２，Ｓｃｃ２２の結果を示す。このグラフの横軸は周波数（Ｈｚ）であり、縦軸はＳｃｃ１２，Ｓｃｃ２２（ｄＢ）である。また、左下段のグラフに電力吸収率Ｐｏｒｔ１の結果を示す。このグラフの横軸は周波数（Ｈｚ）であり、縦軸は電力吸収率Ｐｏｒｔ１である。同様に、右下段のグラフに電力吸収率Ｐｏｒｔ２の結果を示す。このグラフの横軸は周波数（Ｈｚ）であり、縦軸は電力吸収率Ｐｏｒｔ２である。なお、左端に回路計算（シミュレーション）に用いたモデルを示す。以下、図１２〜１５も同様である。なお、全体的な傾向は上述した第１実施形態の計算結果（シミュレーション結果）と略同様であるため、ここでは、主として異なる点を説明する。
【００６１】
（１）実施例３−１（条件１：Ｐｏｒｔ１側に２５Ωの抵抗を付加し、Ｐｏｒｔ２側に０Ωの抵抗を付加（抵抗なし）した場合）の結果。
図１１に示されるように、Ｐｏｒｔ１側に最適値となる抵抗成分（２５Ω）が付加されており、Ｓｃｃ１１や電力吸収率Ｐｏｒｔ１が大きく改善されている。ここで、コモンモードインピーダンスは入出力インピーダンスの１／２となることから、２５（Ω）がマッチングの最適値である。
【００６２】
（２）実施例３−２（条件２：Ｐｏｒｔ１側に５Ωの抵抗を付加し、Ｐｏｒｔ２側に０Ωの抵抗を付加（抵抗なし）した場合）の結果。
図１２に示されるように、Ｐｏｒｔ１側の抵抗成分が調整され、透過特性と反射特性のバランスがチューニングされている。すなわち、反射減衰特性に優れる実施例３−１（条件１）と透過減衰特性に優れる比較例３−１（条件４）との中間特性となっている。
【００６３】
（３）実施例３−３（条件３：Ｐｏｒｔ１側に２５Ωの抵抗を付加し、Ｐｏｒｔ２側に２５Ωの抵抗を付加した場合）の結果。
図１３に示されるように、Ｐｏｒｔ１，２双方に最適な抵抗値（２５Ω）が付加されることで、双方の反射減衰特性および電力吸収率が改善されている。
【００６４】
（４）比較例３−１（条件４：Ｐｏｒｔ１側に０Ωの抵抗を付加（抵抗なし）し、Ｐｏｒｔ２側に０Ωの抵抗を付加（抵抗なし）した場合）の結果。
図１４に示されるように、透過特性を再優先しておりＳｃｃ２１，Ｓｃｃ１２の減衰が最も大きい。また、反射の抑制はほぼない。
【００６５】
（５）比較例３−２（条件５：Ｐｏｒｔ１側とＰｏｒｔ２側とを接続（短絡）し、接続点に２５Ωの抵抗を付加（Ｐｏｒｔ１とＰｏｒｔ２で２５Ωの抵抗を共有）した場合）の結果。
図１５に示されるように、透過、反射共に減衰が少ない。
【００６６】
このように、外部抵抗（第１抵抗６１及び第２抵抗６２）の抵抗値を変えることにより、ノイズフィルタ部品３を用いた吸収型ノイズフィルタ９３のフィルタ特性を任意に設定することができる。また、その際に、外部抵抗（第１抵抗６１及び第２抵抗６２）が外付け可能に構成されているため、特性設計のカット・アンド・トライを容易に行うことができる。
【００６７】
（第３実施形態の変形例）
上述した第３実施形態に係るノイズフィルタ部品３では、第１外部接続端子１３１を構成する外部端子１３１ａと外部端子１３１ｂとが内部で接続（短絡）されていた。同様に、第２外部接続端子１３２を構成する外部端子１３２ａと外部端子１３２ｂとが内部で接続（短絡）されていた。しかしながら、図１６に示した変形例に係るノイズフィルタ部品３Ｂのように、第１外部接続端子１３１を構成する外部端子１３１ａと外部端子１３１ｂと（第１チョークコイル５１の出力端）を内部で分離するとともに、第２外部接続端子１３２を構成する外部端子１３２ａと外部端子１３２ｂと（第２チョークコイル５２の出力端）を内部で分離する構成としてもよい。この場合、第１チョークコイル５１の一方の巻線５１ａの他端は外部端子１３１ａに接続され、他方の巻線５１ｂの他端は外部端子１３１ｂに接続される。同様に、第２チョークコイル５２の一方の巻線５２ａの他端は外部端子１３２ａに接続され、他方の巻線５２ｂの他端は外部端子１３２ｂに接続される。なお、この場合も、第１外部接続端子１３１と、第２外部接続端子１３２とは分離されている。
【００６８】
本実施形態によれば、入力側の第１チョークコイル５１及び出力側の第２チョークコイル５２双方に抵抗６１，６２を付加することができるため、入力側、出力側双方からのノイズ入力に対応できる。また、その際に、付加される各抵抗６１，６２が外付けできるように構成されているため、フィルタの設計に際して、カット・アンド・トライを容易に行うことができ、フィルタの設計効率を向上させることができる。さらに、第１チョークコイル５１の他方の端部（第１外部接続端子１３１）と第２チョークコイル５２の他方の端部（第２外部接続端子１３２）とが分離されているため、透過減衰特性が悪化することなく、コモンモードチョークコイル４１、第１，第２チョークコイル５１，５２、及び外付けされる第１，第２抵抗６１，６２の値（定数）を適切に選択（設計）することにより、反射と透過の減衰を両立した特性を得ることができる。その結果、入力側、出力側双方からのノイズ入力に対処でき、反射と透過の減衰を両立した所望のフィルタ特性を設計効率よく得ることが可能となる。また、特に、この場合、コモンモードチョークコイル４１と、その両側にシャント接続された第１，第２チョークコイル５１，５２とを含むπ型の吸収型ノイズフィルタ９３（９３Ｂ）を構成することができる。よって、差動伝送線路のノイズ対策に適したノイズフィルタを得ることができる。
【００６９】
（第４実施形態）
上述した第３実施形態に係るノイズフィルタ部品３では、第１外部接続端子１３１が、内部で接続（短絡）された一対の外部端子１３１ａと外部端子１３１ｂとから構成されるとともに、第２外部接続端子１３２が、内部で接続（短絡）された一対の外部端子１３２ａと外部端子１３２ｂとから構成されていた（すなわち、１つのチョークコイルについて２つの外部端子を有していた）が、第１外部接続端子１３１、第２外部接続端子１３２それぞれが、単一の外部端子からなる構成（すなわち、１つのチョークコイルについて１つの外部端子を有する構成）としてもよい。
【００７０】
そこで、次に、図１７を用いて、第４実施形態に係るノイズフィルタ部品４、及び、該ノイズフィルタ部品４を用いた吸収型ノイズフィルタ９４について説明する。ここでは、上述した第３実施形態に係るノイズフィルタ部品３と同一・同様な構成については説明を簡略化又は省略し、異なる点を主に説明する。ここで、図１７は、第４実施形態に係るノイズフィルタ部品４、及び、該ノイズフィルタ部品４を用いた吸収型ノイズフィルタ９４の構成を示す図である。なお、図１７において第３実施形態と同一又は同等の構成要素については同一の符号が付されている。
【００７１】
ノイズフィルタ部品４は、図１７に示されるように、単一の外部端子からなる第１外部接続電極１３１、及び第２外部接続端子１３２を備えている点で上述したノイズフィルタ部品３と異なっている。その他の構成は、上述したノイズフィルタ部品３と同一又は同様であるので、ここでは詳細な説明を省略する。
【００７２】
本実施形態によれば、上記第１外部接続端子１３１、及び第２外部接続端子１３２が、それぞれ単一の外部端子からなっており、外部端子（外部接続端子）の数が最小限に抑えられるため、部品の実装面積を削減することができる。なお、第１外部接続端子１３１、第２外部接続端子１３２には例えば基板実装時に第１，第２抵抗６１，６２が外付けされるため、グランドを低インピーダンス設計にする必要がなく、外部端子の数を削減したとしても、特性が大きく悪化することはない。
【００７３】
以上、本発明の実施の形態について説明したが、本発明は、上記実施形態に限定されるものではなく種々の変形が可能である。例えば、上記実施形態では、第１（第２）チョークコイル（ディファレンシャルモードチョークコイル）５１（５２）として、一対の巻線５１ａ，５１ｂ（５２ａ，５２ｂ）が互いに反対方向に巻回されたチョークコイル（すなわち、コモンモードチョークコイルの巻線方向を変えたもの）を用いたが、これに代えて、コモンモードチョークコイルの一方の巻線の入出力が逆になるように接続を変更したもの（すなわち接続方法を変えたもの）を用いてもよい。
【符号の説明】
【００７４】
１，１Ｂ，２，３，３Ｂ，４  ノイズフィルタ部品
１１，１１ａ，１１ｂ  入力端子
１２，１２ａ，１２ｂ  出力端子
１３１  第１外部接続端子
１３２  第２外部接続端子
１３３  第３外部接続端子
２１  インダクタ／第１インダクタ
２２  第２インダクタ
３１  第１コンデンサ
３２  第２コンデンサ
３３  第３コンデンサ
４１  コモンモードチョークコイル
５１  第１チョークコイル（第１ディファレンシャルモードチョークコイル）
５２  第２チョークコイル（第２ディファレンシャルモードチョークコイル）
６１  第１抵抗６１
６２  第２抵抗６２
９１，９１Ｂ，９２，９３，９３Ｂ，９４  吸収型ノイズフィルタ
【図１】
2016144056.tif 000003
【図２】
2016144056.tif 000004
【図３】
2016144056.tif 000005
【図４】
2016144056.tif 000006
【図５】
2016144056.tif 000007
【図６】
2016144056.tif 000008
【図７】
2016144056.tif 000009
【図８】
2016144056.tif 000010
【図９】
2016144056.tif 000011
【図１０】
2016144056.tif 000012
【図１１】
2016144056.tif 000013
【図１２】
2016144056.tif 000014
【図１３】
2016144056.tif 000015
【図１４】
2016144056.tif 000016
【図１５】
2016144056.tif 000017
【図１６】
2016144056.tif 000018
【図１７】
2016144056.tif 000019